(57)【要約】【課題】周波数が比較的低い音を発し、イヤホンの音響効果を向上させることが可能な低周波振動の拡声器を提供する。【解決手段】ケース２１は底端が内側へ延伸されて環状片２１１を形成し、上端が振動可能な音放射ユニットのダンパー２２に結合される。ダンパー２２は外囲２２１と、外囲２２１の内側から奥へ延伸しながら曲折する少なくとも二つの振動アーム２２２とを有し、振動アーム２２２は自由端２２３がダンパー２２の中間あたりに延伸される。振動可能な音放射ユニットはケース２１内部に配置される磁石２５とコイル２８のうちの一つを有し、環状片２１１は磁石２５とコイル２８に対応するもう一つのコイル２５ともう一つの磁石２８のうちの一つに結合される。コイル２８は通電された後、磁力を生成し、振動可能な音放射ユニットを上下に振動させ、低周波音場と共振を強化する効果を生成する。【選択図】図２
2006304295.tif 000002
【特許請求の範囲】
【請求項１】
底端が内側へ延伸されて環状片（２１１）を形成し、上端が振動可能な音放射ユニットのダンパー（２２）に結合されるケース（２１）を備え、
ダンパーは、外囲（２２１）と外囲（２２１）の内側から奥へ延伸しながら曲折する少なくとも二つの振動アーム（２２２）とを有し、
振動アーム（２２２）は自由端（２２３）がダンパー（２２）の中間あたりに延伸され、
振動可能な音放射ユニットはケース（２１）内部に配置される磁石（２５）及びコイル（２８）のうちの一つを有し、
環状片（２１１）は磁石（２５）とコイル（２８）とに対応するもう一つのコイル（２８）及びもう一つの磁石（２５）のうちの一つに結合され、
コイル（２８）は通電された後、磁力を生成し、振動可能な音放射ユニットを上下に振動させ、低周波音場と共振とを強化する効果を生成可能であることを特徴とする低周波振動の拡声器。
【請求項２】
振動可能な音放射ユニットは上クッション部（２３）、音放射ユニット（２４）、及び下クッション部（２６）を有し、
音放射ユニット（２４）は、中央貫通孔を有し、
栓体（２７）の軸（２７１）は、上クッション部（２３）、音放射ユニット（２４）、磁石（２５）、及び下クッション部（２６）の中央貫通孔を順に結合し、
上キャップ（２７２）と下キャップ（２７３）とは、振動アーム（２２２）の自由端（２２３）の上方と下クッション部（２６）の下方に別々に固定されるとともに、ダンパー（２２）、上クッション部（２３）、音放射ユニット（２４）、磁石（２５）、下クッション部（２６）、及び栓体（２７）が一体に結合され、
環状片（２２１）は、磁石（２５）に互いに対応するコイル（２８）に結合されることを特徴とする請求項１に記載の拡声器。
【請求項３】
振動可能な音放射ユニットは上クッション部（２３）、音放射ユニット（２４）、及び下クッション部（２６）を有し、
音放射ユニット（２４）は中央貫通孔を有し、
栓体（２７）の軸（２７１）は、上クッション部（２３）、音放射ユニット（２４）、磁石（２５）、及び下クッション部（２６）の中央貫通孔を順に結合し、
上キャップ（２７２）と下キャップ（２７３）とは、振動アーム（２２２）の自由端（２２３）の上方と下クッション部（２６）の下方に別々に固定されるとともにダンパー（２２）、上クッション部（２３）、音放射ユニット（２４）、コイル（２８）、下クッション部（２６）、及び栓体（２７）が一体に結合され、
環状片（２２１）はコイル（２８）に互いに対応する磁石（２５）に結合されることを特徴とする請求項１に記載の拡声器。
【請求項４】
音放射ユニット（２４）は円形のプレートであることを特徴とする請求項２に記載の拡声器。
【請求項５】
音放射ユニット（２９）はコイル（２８）と磁石（２５）を被覆する円筒状を呈することを特徴とする請求項２に記載の拡声器。
【請求項６】
上キャップ（２７２）及び下キャップ（２７３）のうちの一つは栓体（２７）と一体成型であることを特徴とする請求項２に記載の拡声器。
【請求項７】
ダンパー（２２）は点対称的に曲折する振動アーム（２２２）を二つ有することを特徴とする請求項２に記載の拡声器。
【請求項８】
下キャップ（２７３）は下クッション部（２６）と一体成型であることを特徴とする請求項２に記載の拡声器。
【請求項９】
下キャップ（２７３）の下端は中間から下向きにする突出状態（２７４）を呈することを特徴とする請求項２に記載の拡声器。
【請求項１０】
下キャップ（２７３）の下端は中間から上向きにする陥凹状態（２７５）を呈すことを特徴とする請求項２に記載の拡声器。
【発明の詳細な説明】
【技術分野】
【０００１】
本発明は、拡声器、詳しく言えば低周波振動のイヤホン用小型拡声器に関するものである。
【背景技術】
【０００２】
特許文献１から４に開示されている一般の小型拡声器は、振動により音を発することが可能な振動板を有し、振動板の周辺がケースの上方に固定される。振動板の直径が大きければ大きいほど低音がよくでる。逆に小さければ小さいほど高音がよくでる。イヤホン用拡声器の振動板の直径の大きさはイヤホンのケースの大きさにより制限されるため、周波数が比較的低い音を発することが難しい。
【０００３】
また特許文献５に開示されているイヤホン用拡声器は図１に示すようにケース１１の中央の環状窪み部に磁石１２、前極片１３、ボイスコイル１４、振動膜１５、及び保護キャップ１６が順に配置される。ケース１１は周縁壁の底側に端子プレート１７が配置され、ボイスコイル１４の二つのコード１４１は内部から露出し、はんだ付けにより端子プレート１７に連接され、振動膜１５は周縁に金属リング１８が予め接着され、ケース１１の環状縁面は開放式の平坦面となる。かつ振動膜１５、金属リング１８、及び保護キャップ１６などのユニットの直径をケース１１の直径と一致させるように延伸し、金属リング１８を介して振動膜１５をケース１１の環状縁面の平坦面に沿い貼り付けるように接合することにより、振動膜１５のサイズと面積を拡大し、音域の幅を広くする効果を得ることが可能である。
しかし、上述の振動板１５の直径の大きさはケース１１の直径の大きさにより制限されるため、周波数が比較的低い音を発することも、良好な音響効果を提供することも不可能である。
【０００４】
【特許文献１】台湾特許公告第５１５２１９号
【特許文献２】台湾特許公告第５１５２１８号
【特許文献３】特開２００２−１５２８８２
【特許文献４】特開２００２−１５２８９６
【特許文献５】台湾特許公告第５０４０９９号
【発明の開示】
【発明が解決しようとする課題】
【０００５】
ケースの面積の大きさにより制限されるため比較的低い音を発することも、良好な音響効果を提供することも不可能な周知のイヤホン用拡声器を改善するために、本発明が完成した。
本発明の主な目的はケースの面積の大きさが変わらないという条件下で比較的長い振動ユニットを保有することにより低周波共振の効果を生成し、周波数の比較的低い音を発し、イヤホンの音響効果を向上させることが可能な低周波振動の拡声器を提供することである。
本発明のもう一つの目的は低周波音を発することが可能なだけでなく低周波振動を生成し、使用者の耳をマッサージする機能を兼ね備えることも可能な低周波振動の拡声器を提供することである。
【課題を解決するための手段】
【０００６】
上述の目的を達成するために、本発明による低周波振動の拡声器はケースを備える。ケースは底端が内側へ延伸されて環状片を形成し、上端が振動可能な音放射ユニットのダンパーに結合される。ダンパーは外囲と、外囲の内側から奥へ延伸しながら曲折する少なくとも二つの振動アームとを有し、振動アームは自由端がダンパーの中間あたりに延伸される。振動可能な音放射ユニットはケース内部に配置される磁石とコイルのうちの一つを有し、環状片は磁石とコイルに対応するもう一つのコイルともう一つの磁石のうちの一つに結合される。かつコイルは通電された後、磁力を生成し、振動可能な音放射ユニットを上下に振動させ、低周波音場と共振を強化する効果を生成することが可能であるため、周波数の比較的低い音を発することができないという周知のイヤホン用拡声器の欠点を改善し、拡声器に低周波共振を生成させ、人体の耳をマッサージする機能を兼ね備えることが可能となる。
【発明を実施するための最良の形態】
【０００７】
以下、実施例に基づいて本発明の実施の形態を詳細に説明する。
図２及び図３に示すように、本発明の第一実施例による低周波振動の拡声器はケース２１を備える。ケース２１は底端が内側へ延伸されて環状片２１１を形成し、上端が奥へ後退する受け面２１２を有する。ダンパー２２は外囲２２１と、外囲２２１の内側から奥へ点対称的に延伸されながら曲折する少なくとも二つの振動アーム２２２とを有し、振動アーム２２２は自由端２２３が図３に示すようにダンパー２２の中間あたりに延伸される。また上クッション部２３、音放射ユニット２４、磁石２５、及び下クッション部２６はケース２１内部に収納され、かつ順に振動アーム２２の自由端２２３の下方に配置される。音放射ユニット２４は中央貫通孔を有する。かつ栓体２７の軸２７１により上クッション部２３、音放射ユニット２４、磁石２５、及び下クッション部２６の中央貫通孔を順に結合し、振動アーム２２２の自由端２２３の上方と下クッション部２６の下方とに上キャップ２７２と下キャップ２７３とを別々に固定し、ダンパー２２、上クッション部２３、音放射ユニット２４、磁石２５、下クッション部２６、及び栓体２７を一体に結合すれば振動可能な音放射ユニットが完成する。また音放射ユニット２４は円形のプレートとなり、上キャップ２７２及び下キャップ２７３のうちの一つは栓体２７と一体成型であり、もう一つのキャップはボルトにより栓体２７のらせん状の孔に締め付けるか或いは緊迫方法により栓体２７に嵌めこむことが可能である。下キャップ２７３は下クッション部２６と一体成型することも可能である。環状片２２１は上端がコイル２８に結合され、コイル２８は磁石２５に互いに対応する。コイル２８は通電された後、磁力を生成して振動可能な音放射ユニットの磁石２５を上下に振動させるとともに音放射ユニットも同期振動し、音を発する。
【０００８】
第一実施例における音放射ユニット２４は図１に示すような周知の振動膜１５とは異なり、ケース２１の内側に接触しないようにケース２１の内側に固定される。第一実施例における音放射ユニット２４を振動させる弾力はダンパー２２の振動アーム２２２から提供される。振動アーム２２２は外囲２２１から奥へ延伸しながら曲折するように設けられるため、振動アーム２２２の長さがケース２１の直径に制限されることなくケース２１の直径の長さを超えることが可能である。したがってケース２１の直径が変わらないという条件下で、第一実施例における振動アーム２２２は一般の振動膜よりも振動行程が長いため、周波数の比較的低い音場を生成し、良好な音響効果を得ることが可能である。かつ第一実施例における振動アーム２２２は低周波共振を生成可能であるため拡声器全体は低周波振動効果を有する。また拡声器とイヤホンとを組み合わせてそれらを使用者の耳に装着すればイヤホンの振動に伴い耳をマッサージする効果を生成することが可能である。また第一実施例の特徴はコイル２８と磁石２５とを相対的な位置に配置することでなく、ダンパー２２の特殊な設計にある。したがって前述の実施例のほかにコイル２５とケース２１の環状片２１１とを組み合わせ、コイル２８と栓体２７とを組み合わせることにより同じ効果を達成することも可能であるが、詳しい説明を省く。
【０００９】
図４に示すように本発明の第二実施例による低周波振動の拡声器は図２に示す第一実施例による拡声器とほぼ同じであり、筒状を呈しコイル２８及び磁石２５の外側を被覆する音放射ユニット２９と、図２に示す板状を呈する音放射ユニット２４とが異なるほかは構造がほぼ同じである。
図５に示すように本発明の実施例による低周波振動の拡声器における栓体２７の下キャップ２７３の下端が、中間から下向きにする突出状態２７４を呈すれば、拡声器が音を発する音場は比較的広い範囲に広がる効果を得ることが可能である。
図６に示すように本発明の実施例による低周波振動の拡声器における栓体の下キャップ２７３の下端が、中間から上向きにする陥凹状態２７５を呈すれば、拡声器が音を発する音場はある一箇所に集中する効果を得ることが可能である。
【００１０】
図７に示すのは本発明の第二実施例（図４参照）の分解斜視図である。コイル２８は予めケース２１に固定され、そののち振動可能な音放射ユニットのダンパー２２、上クッション部２３、音放射ユニット２９、磁石２５、下クッション部２６などのユニットは栓体２７により順に装着され、図７に示すように結合体３０が形成され、そののちケース２１に装着され、組立後は図４に示すような様相を呈する。第二実施例はケース２１の上段部２１３をシリコンなどの弾力性のある材質から構成し、下段部の環状片２１１をプラスチックなどの硬性の材料から構成し、それらを上下に結合することが可能であるため、ダンパー２２の振動に伴いケース２１の上段部２１３が同期振動する際、全体的に振動とマッサージ効果を向上させることが可能となる。さらにケース２１の上表面に保護キャップ３１を装着すれば図８に示すように小型イヤホン３２を構成することが可能である。またイヤホン３２の背面に導線３３を配置すれば耳に装着し音楽を聞くことが可能である。また構造が特殊に設計された本発明の実施例のダンパー２２のため、イヤホン３２は体積が小さくても低周波振動効果を生成し、音楽鑑賞の質を向上させることが可能である。
上述の実施例は本発明の技術内容に関わる一例に過ぎず本発明を限定することができないため、本技術を熟知している人が本発明に基づき修飾、変化を加えることは本発明の請求範囲に属すべきである。
【図面の簡単な説明】
【００１１】
【図１】周知のイヤホン用拡声器の断面図である。
【図２】本発明の第一実施例による低周波振動の拡声器の部分的な断面を示す斜視図である。
【図３】本発明の第一実施例による低周波振動の拡声器のダンパーの平面図である。
【図４】本発明の第二実施例による低周波振動の拡声器の部分的な断面を示す斜視図である。
【図５】本発明の実施例による低周波振動の拡声器の栓体の下キャップの断面図である。
【図６】本発明の実施例による低周波振動の拡声器の栓体の下キャップの断面図である。
【図７】本発明の第二実施例による低周波振動の拡声器の分解斜視図である。
【図８】本発明の第二実施例による低周波振動の拡声器を耳栓式イヤホンに適用した状態を示す模式図である。
【符号の説明】
【００１２】
２１  ケース、２１１  環状片、２２  ダンパー、２２１  外囲、２２２  振動アーム、２２３  自由端、２３  上クッション部、２４、２９  音放射ユニット、２５  磁石、２６  下クッション部、２７  栓体、２７１  軸、２７２  上キャップ、２７３  下キャップ、２７４  突出状態、２７５  陥凹状態、２８  コイル、３０  結合体、３１  保護キャップ、３２  イヤホン、３３  導線
【図１】
2006304295.tif 000003
【図２】
2006304295.tif 000004
【図３】
2006304295.tif 000005
【図４】
2006304295.tif 000006
【図５】
2006304295.tif 000007
【図６】
2006304295.tif 000008
【図７】
2006304295.tif 000009
【図８】
2006304295.tif 000010